(57)【要約】【課題】主制御装置から副制御装置へ電源供給報知を行うための信号が遮断されても副制御装置が単独で電源供給報知を行うことができる遊技機の提供を目的とする。【解決手段】主制御装置は電源回路１８２の電圧が所定電圧に達したことを起因に電源供給信号を副制御装置に送信し、副制御装置は電源供給信号を受信することにより電源供給報知手段による報知を実行する遊技機において、副制御装置は、電源回路１８２から電源供給後に電源供給信号の受信が無く、かつ報知条件が成立した場合には、電源供給があったことを単独で報知する単独報知を、電源供給信号受信の場合に行う報知とは異なる報知態様で電源供給報知手段により報知する単独報知手段を備える。【選択図】図４
2011125735.tif 000002
【特許請求の範囲】
【請求項１】
遊技情報に従って遊技を制御する主制御装置と、
前記主制御装置から送信される指令信号に含まれる制御情報に基づき各種電気装置の制御を行う副制御装置と、
外部から供給される主電源から所用の電源を生成して前記主制御装置及び前記副制御装置に前記電源を供給する電源回路と、
前記電気装置の少なくとも１つで構成され前記主制御装置及び前記副制御装置に前記電源が供給されたことを報知する電源供給報知手段と、を備え、
前記主制御装置は、前記電源回路の電圧が所定電圧に達したことを起因に電源供給信号を前記副制御装置に送信し、
前記副制御装置は前記電源供給信号を受信することにより前記電源供給報知手段による報知を実行する遊技機において、
前記副制御装置は、前記電源回路から前記電源供給後に前記電源供給信号の受信が無く、かつ報知条件が成立した場合には、前記電源供給があったことを単独で報知する単独報知を、前記電源供給信号受信の場合に行う報知とは異なる報知態様で前記電源供給報知手段により報知する単独報知手段を備え、
前記電源回路と、前記電源回路の電圧を監視する監視手段と、前記監視手段により前記電圧が前記所定電圧に達したことが検出されたことによって、前記主制御装置及び前記副制御装置が制御開始する起因となる開始信号を前記主制御装置及び前記副制御装置へ出力する開始信号出力手段と、を有する電源装置を備え、
前記主制御装置は、前記開始信号の入力に基づいて前記副制御装置へ前記電源供給信号を出力するように構成され、
前記副制御装置は、前記開始信号が入力したことに基づいて前記報知条件が成立するように構成されると共に報知時間を設定し、前記報知時間内での前記単独報知手段の実行中に前記電源供給信号を受信した場合は前記電源供給信号受信の場合に行う報知に変更する一方、前記報知時間内での前記単独報知手段の実行中に前記電源供給信号を受信しなかった場合は前記単独報知手段を前記報知時間が経過するまで継続して実行するように構成したことを特徴とする遊技機。
【発明の詳細な説明】
【技術分野】
【０００１】
本発明は、主制御装置や副制御装置へ電源が供給されたことを報知する遊技機に関する。
【背景技術】
【０００２】
従来、パチンコ遊技機等の遊技機においては、遊技情報に従って遊技を制御する主制御装置と、前記主制御装置から送信される指令信号に含まれる制御情報に基づき各種電気装置の制御を行う副制御装置と、外部から供給される主電源から所用の電源を生成して前記主制御装置及び前記副制御装置に前記電源を供給する電源回路と、前記電源の電圧を監視する監視手段と、前記電源が供給されたことを前記電気装置の少なくとも１つにより報知する電源供給報知手段と、を備え、電源断状態から前記電源が所定電圧に達したことが前記監視手段で検出されたことを起因に、前記主制御装置が電源供給信号を前記副制御装置に送信し、前記副制御装置が前記電源供給信号を受信することにより前記電源供給報知手段による報知を実行する遊技機がある。
【０００３】
このように、従来の遊技機においては、主制御装置が主となって遊技機全体の制御を行っており、主制御装置が制御可能な状態になっている必要があるため、電源が供給されたことの報知について主制御装置のみが判断し、主制御装置から副制御装置に命令を出して報知させていた。
【０００４】
例えば、特許文献１では、主制御手段は、記憶内容が初期化されたことを所定の報知手段を介して外部に報知するように補助制御手段に対して報知制御の実行を指示するための報知制御信号を出力し、補助制御手段は、前記報知制御を他の制御よりも優先して実行するように構成した遊技機が開示されている。
【先行技術文献】
【特許文献】
【０００５】
【特許文献１】特開平２００３−２０５１６１号公報
【発明の概要】
【発明が解決しようとする課題】
【０００６】
しかし、従来の遊技機においては、主制御装置から副制御装置へ電源供給報知を行うための信号を送信するための配線を外して電源供給報知を行うのを封じたり、主制御装置に報知停止の信号があるものは、報知停止信号を不正に利用して電源供給報知を行うのを封じたりして、電源投入の処理を利用した不正がされる虞があった。
【０００７】
本発明は上記の問題に鑑みなされたものであって、主制御装置から副制御装置へ電源供給報知を行うための信号が遮断されても副制御装置が単独で電源供給報知を行うと共に、主制御装置から副制御装置へ電源供給報知を行うための信号を受信した場合の報知と、信号を受信することなく単独で報知した場合とで識別可能にして、主制御装置と副制御装置の関係に異常があっても電源供給報知を行うようにすると共に主制御装置と副制御装置が正常な状態での電源投入か否かを把握可能にすることにより、電源投入の処理を利用した不正を抑制することが可能な遊技機の提供を目的とする。
【課題を解決するための手段】
【０００８】
請求項１の発明は、遊技情報に従って遊技を制御する主制御装置と、前記主制御装置から送信される指令信号に含まれる制御情報に基づき各種電気装置の制御を行う副制御装置と、外部から供給される主電源から所用の電源を生成して前記主制御装置及び前記副制御装置に前記電源を供給する電源回路と、前記電気装置の少なくとも１つで構成され前記主制御装置及び前記副制御装置に前記電源が供給されたことを報知する電源供給報知手段と、を備え、前記主制御装置は、前記電源回路の電圧が所定電圧に達したことを起因に電源供給信号を前記副制御装置に送信し、前記副制御装置は前記電源供給信号を受信することにより前記電源供給報知手段による報知を実行する遊技機において、前記副制御装置は、前記電源回路から前記電源供給後に前記電源供給信号の受信が無く、かつ報知条件が成立した場合には、前記電源供給があったことを単独で報知する単独報知を、前記電源供給信号受信の場合に行う報知とは異なる報知態様で前記電源供給報知手段により報知する単独報知手段を備え、前記電源回路と、前記電源回路の電圧を監視する監視手段と、前記監視手段により前記電圧が前記所定電圧に達したことが検出されたことによって、前記主制御装置及び前記副制御装置が制御開始する起因となる開始信号を前記主制御装置及び前記副制御装置へ出力する開始信号出力手段と、を有する電源装置を備え、前記主制御装置は、前記開始信号の入力に基づいて前記副制御装置へ前記電源供給信号を出力するように構成され、前記副制御装置は、前記開始信号が入力したことに基づいて前記報知条件が成立するように構成されると共に報知時間を設定し、前記報知時間内での前記単独報知手段の実行中に前記電源供給信号を受信した場合は前記電源供給信号受信の場合に行う報知に変更する一方、前記報知時間内での前記単独報知手段の実行中に前記電源供給信号を受信しなかった場合は前記単独報知手段を前記報知時間が経過するまで継続して実行するように構成したことを特徴とする。
【発明の効果】
【０００９】
請求項１の発明によれば、前記副制御装置は、前記電源回路から電源供給後に電源供給信号の受信が無く、かつ報知条件が成立した場合には、前記電源供給があったことを単独で（すなわち副制御装置独自に）報知する単独報知を、前記電源供給信号受信の場合に行う報知とは異なる報知態様で電源供給報知手段により報知する単独報知手段を備えたことにより、主制御装置と副制御装置の関係が正常な状態あるいは異常な状態での電源供給報知かを把握することが可能となる。しかも、主制御装置に異常が発生して副制御装置に電源供給信号が入力されなくても常に電源供給報知を行うことができるため、電源投入の処理を利用した不正を抑制することが可能となる。
【００１０】
請求項１の発明によれば、前記監視手段により電圧が所定電圧に達したことが検出されたことによって、前記主制御装置及び前記副制御装置が制御開始する起因となる開始信号を前記主制御装置及び前記副制御装置へ出力する開始信号出力手段を備え、前記主制御装置は、前記開始信号の入力に基づいて前記副制御装置へ前記電源供給信号を出力する構成により、前記副制御装置は開始信号が入力されたことによって、前記主制御装置の実際の状態に関係なく主制御装置も制御開始できるとみなして制御を開始でき、前記副制御装置に電源供給信号が入力されることにより前記主制御装置との関係が正常であることを把握することが可能となる。
【図面の簡単な説明】
【００１１】
【図１】本発明の一実施例にかかる遊技機について遊技盤の釘を省略して示す正面図である。
【図２】同遊技機の裏面図である。
【図３】同遊技機の制御基板等の接続を簡略に示すブロック図である。
【図４】同遊技機の電源基板の構成を簡略に示すブロック図である。
【図５】同遊技機の主制御基板が行う電源投入時の処理を示すフローチャートである。
【図６】同主制御基板が行う電源断時の処理を示すフローチャートである。
【図７】同遊技機のサブ制御基板が行う電源投入時の処理について第１例を示すフローチャートである。
【図８】同サブ制御基板が行う電源投入時の処理について第２例を示すフローチャートである。
【図９】同サブ制御基板が行う電源投入時の処理について第３例を示すフローチャートである。
【発明を実施するための形態】
【００１２】
以下添付の図面に基づき本発明の好適な実施形態を説明する。図１は本発明の一実施例の遊技機について遊技盤の釘を省略して示す正面図、図２は同遊技機の裏面図、図３は同遊技機の制御基板等の接続を簡略に示すブロック図、図４は電源基板の構成を簡略に示すブロック図である。
【００１３】
図１に示す遊技機１は、遊技媒体として遊技球を用いるパチンコ遊技機であって、遊技盤３の縁に遊技球の外側ガイドレール４及び内側ガイドレール５が略円形に立設され、前記内側ガイドレール５によって囲まれた遊技領域６の中心線上にその上部から下部に向かって順に表示装置９、始動入賞口１０、特別電動役物である大入賞口１５、アウト口１７が配設されている。また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。なお、大当たりになると大入賞口１５が開放され、遊技球が入賞し易い大当たり遊技（特別遊技）が実行される。符号２２ａ，２２ｂは風車、Ｆ１は外枠、Ｆ２は前枠、Ｇは前枠Ｆ２に開閉可能にヒンジで取付けられたガラス枠である。
【００１４】
また、前記遊技機１の前面側には、効果音等を発するスピーカ３２、左ランプ３３ａ及び右ランプ３３ｂが設けられ、発射装置へ供給する遊技球や払い出された遊技球を受けるための上側球受け皿３６、該上側球受け皿３６の飽和時に遊技球を受けるための下側球受け皿３７、遊技者の発射操作に応じて遊技球を遊技領域６に向けて弾発発射する発射装置５３等がそれぞれ組み付けられている。前記左ランプ３３ａ及び右ランプ３３ｂからなるランプ装置は、本発明の電気装置の１つに相当する。以下、所要の各部についてさらに詳述する。
【００１５】
前記表示装置９は、文字又は図柄の少なくとも何れかを表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部４５が組み込まれ、その他の大部分が特別図柄表示部４２となっている。前記表示装置９は電気装置の１つに相当すると共に、この実施例では、本発明における電源供給報知手段を兼ねている。
【００１６】
前記特別図柄表示部４２は、遊技の当たり外れを判定する当否判定手段による判定結果を表示する。本実施例の特別図柄表示部４２は、左側に左特別図柄が（左判定図柄）、中央に中特別図柄（中判定図柄）が、右側に右特別図柄（右判定図柄）が、それぞれ大当たりに対する当否判定結果表示用の特別図柄（判定図柄）として、変動表示及び停止表示可能とされている。また、前記特別図柄表示部４２には、前記特別図柄（判定図柄）に加えて背景画像（キャラクタ，背景，文字等を含む。）が表示されることもあり、該背景画像が特別図柄の変動開始等の所定条件に起因して変動表示可能となっていてもよい。なお、この実施例における前記左側表示領域、中央表示領域、右側表示領域にそれぞれ変動および停止表示される特別図柄（判定図柄）は、『０，１，２，３，４，５，６，７，８，９，１０，１１』の１２通りの図柄とされている。
【００１７】
前記普通図柄表示部４５は、記号或いは絵（キャラクタ）等の小当たり判定用普通図柄を変動表示及び停止表示する。本実施例における普通図柄表示部４５に変動及び停止表示される普通図柄は、『０，１，２，３，４，５，６，７，８，９』の１０通りの図柄とされている。
【００１８】
前記始動入賞口１０は特別図柄表示部４２の真下に設けられ、２つの可動片１０ａ，１０ｂが背面の始動入賞口用ソレノイドによって略垂直で入賞し難い狭小開放状態と略Ｖ字形（逆ハの字形）の入賞し易い拡開開放状態間を変化可能に制御されている。前記始動入賞口１０の可動片１０ａ，１０ｂ間が入賞領域に相当する。前記始動入賞口１０の拡開開放は、前記普通図柄表示部４５で普通図柄が変動した後特定の普通図柄で確定停止表示されて小当たり（普通図柄当たり）が成立した時に行われる。
【００１９】
また、前記遊技盤３の背面には、始動入賞口１０に入賞した遊技球を検出する始動入賞口検出スイッチ（始動入賞口センサ）が入賞球用通路に設けられており、本実施例では、前記始動入賞口検出スイッチによる入賞球の検出が、大当たり（遊技の当たり外れ）の当否判定に対する起因及び前記特別図柄（判定図柄）の変動表示開始に対する起因に設定されている。また、前記特別図柄表示部４２で特別図柄の変動表示中に、前記始動入賞口１０に遊技球が入賞しても、直ちに新たな特別図柄の変動表示を開始することができないため、特別図柄の変動表示を一旦保留し、特別図柄の変動表示によって保留球の数を減らすようになっている。なお、本実施例では、前記特別図柄用保留球数の上限値は４個に設定されている。
【００２０】
前記普通図柄変動開始用左ゲート１９及び普通図柄変動開始用右ゲート２１は、前記遊技盤３の背面に設けられた普通図柄変動開始スイッチで両ゲート１９，２１を通過する遊技球を検出することによって前記普通図柄表示部４５で普通図柄の変動を開始させるようになっている。また、前記普通図柄の変動表示中に、前記普通図柄変動開始用左ゲート１９及び普通図柄変動開始用右ゲート２１を遊技球が通過することによって発生する普通図柄の変動を、最高４回保留球数として記憶し、普通図柄の変動開始により普通図柄の保留球数を減らすようになっている。さらにまた、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００２１】
前記大入賞口１５は、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該大入賞口１５が開いた際に開口して入賞可能にする特定領域入賞口１５ａを有する。さらに、該特定領域入賞口１５ａには、所定条件時に特定領域開放用ソレノイドにより開閉される開閉扉が設けられている。また、前記特定領域入賞口１５ａには特定入賞球を検出する特定入賞球検出スイッチ（特定領域センサ）が設けられ、該入賞球の検出により大入賞口１５を再度開ける継続権利が成立するようにされている。また、前記大入賞口１５内の略中央には、大入賞口１５に入賞し、かつ前記特定領域入賞口１５ａに入賞しなかった入賞球を検出する入賞球数カウントスイッチ（カウントセンサ）が設けられている。
【００２２】
前記発射装置５３は、操作レバー５４の操作により駆動する発射モータを裏側に有し、該発射モータの駆動により遊技球を弾発発射するようになっている。前記発射装置５３により発射された発射球は、前記遊技盤面に立設された外側誘導レール４と内側誘導レール５間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口１７から遊技盤３の裏側へ排出される。
【００２３】
前記遊技機１が行う遊技について簡単に説明する。前記遊技機１では、前記発射装置５３により遊技領域６へ向けて発射された遊技球が、前記遊技領域９の種々の入賞口に入賞すると所定数の遊技球が賞品球として後述の賞球払出装置から上側球受け皿３６に払い出される。また、前記普通図柄変動開始用左ゲート１９及び普通図柄変動開始用右ゲート２１を遊技球が通過し、その遊技球が前記普通図柄変動開始スイッチで検出されると、後述の主制御基板（本発明の主制御装置）１００へ検出信号が送られ、普通図柄変動保留球数が４個未満の場合には、小当たり判定・普通図柄決定用乱数が取得され、その取得乱数値が主制御基板１００のＲＡＭの普通図柄数値記憶領域に一旦記憶される。そして前記記憶された小当たり判定・普通図柄決定用乱数値が順次読み出され、前記読み出された乱数値に基づいて普通図柄の当たり（小当たり）判定が行われ、前記普通図柄表示部４５で普通図柄の変動を開始し、所定時間変動後に停止する。その際、前記普通図柄の当たり判定結果が小当たりの場合には、小当たり普通図柄、この例では奇数で停止し、前記始動入賞口１０が入賞領域拡大状態になり、遊技球が入賞し易くなる。そして、前記始動入賞口１０の入賞領域に遊技球が入賞すると、所定数（例えば５個）の遊技球が賞品球として前記賞球払出装置から払い出される。
【００２４】
また、前記始動入賞口１０に遊技球が入賞し、始動入賞口検出スイッチによって入賞球が検出されると、主制御基板１００へ検出信号が送られ、特別図柄変動保留球数が４個未満の場合には、大当たり当否判定用乱数値及び大当たり図柄組合せ決定用乱数値が取得され、その取得数値が主制御基板１００のＲＡＭの該当する記憶領域に一旦記憶される。そして、前記記憶された大当たり当否判定用乱数値が順次読み出され、当該読み出された大当たり当否判定用乱数値に基づいて大当たりの当否判定が行われ、外れの場合には外れ確定特別図柄の組合せ決定用乱数数値が取得される。また、特別図柄の変動開始前に変動態様決定用乱数値が取得される。そして、取得された変動態様決定用乱数値に基づき決定された選択変動態様にしたがい前記特別図柄柄表示部４２で特別図柄が変動を開始し、所定時間経過後に停止する。
【００２５】
前記特別図柄表示部４２で停止表示された確定特別図柄が、大当たり確定特別図柄組合せ、この例ではぞろ目（‘７，７，７’のように同じ数字が並んだ状態）で停止表示されると、大当たりになり、遊技者に有利な特別遊技状態（大当たり遊技状態）に移行する。前記特別遊技状態になると、前記大入賞口１５の開閉板１６が開いて遊技領域６の表面を落下してくる遊技球を受け止め易くして大入賞口１５へ入賞可能にし、該大入賞口１５への入賞があると、払出装置により所定数の遊技球が賞品球として払い出される。前記開閉板１６は、所定時間（例えば２９．５秒）経過後、或いは前記特定入賞球検出スイッチと入賞球数カウントスイッチとで検出された入賞球数が所定個数（例えば１０個）となった時点で閉じるようにされている。
【００２６】
前記大入賞口１５の開放中又は大入賞口１５が閉じてから約２秒以内に、前記特定領域入賞口１５ａへの入賞球を特定入賞球検出スイッチが検出すると、前記大当たりを再度繰り返す継続権利が発生し、所定最高回数（例えば最高１６回）、前記開閉板１６の開放を繰り返す。
【００２７】
遊技を制御するための複数の制御装置や球の誘導装置等は、遊技機１の裏側に設けられている。図２は遊技機１の裏側を示すものであり、制御装置の主なものとして、主制御基板（本発明の主制御装置）１００、サブ制御基板（本発明の副制御装置）１１０、表示制御基板（表示制御装置）１２０、払出制御基板（払出制御装置）１４０、音声制御基板（音声制御装置）１５０、発射制御基板（発射制御装置）１７０、電源基板（電源装置）１８０等が示されている。各基板には回路を有する。例えば、前記主制御基板１００には主制御回路、前記サブ制御基板１１０にはサブ制御回路（副制御回路）、前記表示制御基板１２０には表示制御回路、前記払出制御基板１４０には払出制御回路、前記音声制御基板１５０には音声制御回路、前記発射制御基板１７０には発射制御回路、前記電源基板１８０には電源回路を有する。また、前記各基板は個々に、あるいは複数まとめて基板ケースに収納されて、前記遊技機１の背面側に設けられている。符号１７５は電源スイッチ、１９０は払出装置（賞球払出装置と貸球払出装置）、１８９はＲＡＭクリアスイッチ、１９３は球無しスイッチ（賞球・球貸し兼用）、１９４は球貯留タンク、１９５は球誘導樋を示す。
【００２８】
前記球貯留タンク１９４は、遊技球を所要数貯留し、前記球誘導樋１９５から球無しスイッチ１９３を経て払出装置１９０へ遊技球を供給する。球無しスイッチ１９３は遊技球通路内の遊技球の有無を検出するものである。
【００２９】
前記払出装置１９０は、払出モータを回転することにより、回転球受体（例えば、スクリュー形式のもの）を回転し、回転球受体の球受部に受け入れた遊技球を回転球受体の回転により球送りして１球ずつ排出する公知のものである。
【００３０】
前記払出装置１９０から払い出された遊技球は、連絡口（図示せず）を通って前記上側球受け皿３６に供給される。前記連絡口の側方には、前記下側球受け皿３７に連通する余剰球通路が形成されており、払い出された遊技球が前記上側球受け皿３６で満杯になって前記連絡口に到達し、その状態でさらに遊技球が払い出されると、遊技球が前記余剰球通路を通って前記下側球受け皿３７に誘導されるように構成されている。前記下側球受け皿３７には満タンスイッチが設けられており、前記下側球受け皿３７が遊技球で満杯になると、満タンスイッチが遊技球で押されてＯＮになり、前記払出装置１９０の作動を停止させると共に発射装置５３の駆動を停止させる。
【００３１】
図３のブロック図は前記制御基板（制御装置）等の電気的接続を示す図である。以下に主な制御基板（制御装置）について簡略に説明する。
【００３２】
前記主制御基板１００は、本発明の主制御装置に相当するものであって制御回路を有し、所定の制御手順（プログラム）に基づき遊技の主制御を行う。前記主制御基板１００は、ＣＰＵ，ＲＡＭ，ＲＯＭ，複数のカウンタを備えたワンチップマイクロコンピュータと、該ワンチップマイクロコンピュータとサブ制御基板１１０を結ぶ入出力回路、前記ワンチップマイクロコンピュータと中継回路（中継回路には大入賞口１５等が接続される。）、払出制御基板１４０等を結ぶ入出力回路等で構成され、遊技情報に従って遊技を制御する。前記遊技情報には、前記始動入賞口１０への遊技球の入賞や大入賞口１５への遊技球の入賞等の入賞情報や、大当たり等の当たり情報等が含まれる。前記ＣＰＵは、制御部，演算部，各種カウンタ，各種レジスタ，各種フラグ等を備え、演算制御を行う他、大当たりや小当たり（始動入賞口１０の拡開開放を行う普通図柄当たり）に関する乱数等も生成し、また前記サブ制御基板１１０等へ指令信号（コマンド）を出力（送信）可能に構成されている。前記ＲＡＭは、始動入賞口検出スイッチの検出信号及び普通図柄変動開始スイッチの検出信号用の記憶領域、ＣＰＵで生成される各種乱数値用の記憶領域、各種データを一時的に記憶する記憶領域やフラグ、ＣＰＵの作業領域を備える。また、前記ＲＯＭには、遊技上の制御手順（プログラム）や制御データが書き込まれている他、大当たり及び小当たりの判定値等が書き込まれている。前記主制御基板１００は、電源基板１８０から電源供給を受けて作動する。
【００３３】
サブ制御基板１１０は、本発明の副制御装置に相当し、ＣＰＵ、ＲＡＭ、ＲＯＭを備えたワンチップマイクロコンピュータと、該ワンチップマイクロコンピュータと前記主制御基板１００を結ぶ入出力回路と、前記ワンチップマイクロコンピュータと前記表示制御基板１２０を結ぶ入出力回路等で構成され、前記主制御基板（主制御装置）１００から送信される指令信号（コマンド）に含まれる制御情報に基づいて各種電気装置の制御を行う。本実施例では、前記サブ制御基板（副制御装置）１１０は、ランプ制御基板（ランプ制御装置）を兼ね、また前記電気装置には前記左ランプ３３ａ、右ランプ３３ｂ等からなるランプ装置や、前記表示制御基板１２０が含まれる。前記主制御基板１００から送信される指令信号に含まれる制御情報には、前記表示制御基板１２０に対する制御情報や、前記左ランプ３３ａ、右ランプ３３ｂの発光制御情報等がある。本実施例のサブ制御基板１１０は、前記主制御基板１１０から送信された指令信号を受信し、前記表示制御基板１２０やランプ中継回路へ指令信号（コマンド）を送信する。前記サブ制御基板１１０のＣＰＵは、サブ処理用の制御手順（プログラム）を、前記ＲＯＭから読み出してサブ制御処理（副制御処理）を実行する。前記ＲＯＭには制御手順（プログラム）や、制御データ等が書き込まれている。また、前記サブ制御基板１１０のＲＡＭは、ＣＰＵの作業領域や、各種データを一時的に記憶する記憶領域等を有する。前記サブ制御基板１１０は、前記電源基板１８０から電源供給を受けて作動する。
【００３４】
前記表示制御基板１２０は、本発明における電気装置の１つに相当し、ＣＰＵ，ＲＡＭ，ＲＯＭを備えたワンチップマイクロコンピュータと、該ワンチップマイクロコンピュータと前記サブ制御基板１１０を結ぶ入力回路と、前記ワンチップマイクロコンピュータと表示装置９を結ぶ出力回路等で構成され、前記サブ制御基板１１０から出力される指令信号に含まれる制御情報に基づき、前記特別図柄表示部４２及び普通図柄表示部４５における表示等の制御や、前記音声制御基板１５０を制御する。前記表示制御基板１２０のＣＰＵは、内部に制御部，演算部，各種カウンタ，各種レジスタ，各種フラグ等を有し演算制御を行うようになっている。また、前記表示制御基板１２０のＲＡＭは、各種データの記憶領域と前記ＣＰＵによる作業領域等を有している。前記表示制御基板１２０のＲＯＭは、表示制御のための不変の情報、すなわちプログラムや画像データ、定数等が記憶されている。
【００３５】
前記払出制御基板１４０は、前記主制御基板１００と配線等による電気的な接続手段で接続され、前記主制御基板１００から出力される指令信号を受信して前記払出装置（賞球及び貸球払出装置）１９０を制御する。また、前記払出制御基板１４０は、ＣＰＵ，ＲＯＭ，ＲＡＭを内蔵するワンチップマイクロコンピュータを備え、前記電源基板１８０から電源供給を受けて動作する。
【００３６】
前記音声制御基板１５０は、前記表示制御基板１２０と接続され、前記表示御基板１２０から出力される指令信号に基づき前記スピーカ３２から発する音声を制御する。
【００３７】
前記発射制御基板１７０は、前記発射装置５３における発射モータの制御を行う。
【００３８】
前記電源基板１８０の受電回路１８１は、遊技機外部から供給される主電源（ＡＣ２４Ｖ）の受け入れ部である。
【００３９】
電源基板１８０は、前記受電回路１８１からの主電源を受け入れて各制御基板（制御装置）や電気装置等に適した電源（例えばＤＣ３４Ｖ、ＤＣ１２Ｖ、ＤＣ５Ｖ等）を生成すると共に電源の電圧を監視したり、バックアップ用電源（例えばＤＣ５Ｖ）を生成したり、電源断信号及びリセット信号を出力したりする電源装置である。前記電源基板１８０は、図４に概略を示すように、受電回路１８１、電源回路１８２、バックアップ回路１８３、電源監視回路１８４、ＲＡＭクリアスイッチ信号生成回路１８７を有する。
【００４０】
前記受電回路１８１は外部から主電源（例えばＡＣ２４Ｖ）を受け入れ、前記電源回路１８２へ供給する。前記受電回路１８１には電源断操作手段に相当する電源スイッチ１７５が接続され、外部から供給される主電源を前記電源スイッチの操作により電源回路１８２へ入力したり遮断したりできるようになっている。前記電源回路１８２は主電源から前記主制御基板（主制御装置）１００や払出制御基板１４０及びサブ制御基板（副制御装置）１１０等へ供給する電源を生成する。前記バックアップ回路１８３は、前記電源回路１８２と前記主制御基板（主制御装置）１００及び前記払出制御基板１４０と接続され、前記電源回路１８２から供給される電力によってバックアップ電力を蓄え、外部からの主電源が断たれた際にバックアップ電力を前記主制御基板（主制御装置）１００及び前記払出制御基板１４０へ供給し、電源断の処理、例えば遊技情報等を前記主制御基板１００及び払出制御基板１４０のＲＡＭに記憶する処理等をしてＲＡＭの中の記憶を、蓄えた電力分の時間保持できるようにしている。
【００４１】
前記電源監視回路１８４は、本発明における監視手段に相当するものであって、電源断検出手段１８５とリセット信号発生手段１８６を有し、前記電源回路１８２の電圧を監視する。
【００４２】
前記電源断検出手段１８５は、前記電源回路１８２における監視用電圧（例えば主電源のＡＣ２４Ｖ）を監視し、前記電圧が所定期間（例えば２５ｍｓ）に亘って検出されないと、外部からの主電源が断たれたとして電源断信号を前記主制御基板（主制御装置）１００及び前記払出制御基板１４０に出力する。前記電源断信号を受信した前記主制御基板（主制御装置）１００及び前記払出制御基板１４０は電源断の処理を開始する。また、本実施例では、電源投入時に後述のように前記電源回路１８２の電圧が所定電圧以上に上昇すると、後述のリセット信号を出力する前に電源断信号が前記主制御基板（主制御装置）１００及び前記払出制御基板１４０に出力されて電源投入時の処理が開始されるように構成されている。なお、「電源投入時」は、遊技機の電源スイッチを入れた際の最初の電源投入時と、停電等によって電源断が発生した後の電源復帰による復電時との二種類ある。
【００４３】
前記リセット信号発生手段１８６は、本発明における開始信号出力手段に相当し、電源投入時には、前記電源回路１８２における監視用電圧（例えば主電源のＡＣ２４Ｖ）が、所定電圧（例えばＡＣ１２Ｖ）以上に上昇すると、電源断信号を出力した後にリセット信号を前記主制御基板（主制御装置）１００及びサブ制御基板（副制御装置）１１０へ出力する。また、前記リセット信号は、本実施例では前記払出制御基板１４０へも出力される。また、本実施例では、前記リセット信号の出力は、電源投入時に前記電源回路の電圧が所定電圧以上になってから所定時間後（例えば６０ｍｓ）に実行されるように構成されている。前記所定電圧以上になってから所定時間（遅延時間）の値は、前記主電源の電圧が例えばＡＣ１２Ｖ以上になってから正規の電圧であるＡＣ２４Ｖ程度になるまでの時間に設定されている。前記電源投入時に前記リセット信号発生手段１８６から出力されるリセット信号は、本発明における開始信号に相当し、前記主制御基板（主制御装置）１００及びサブ制御基板（副制御装置）１１０における制御開始、すなわちＣＰＵの作動開始の起因となる信号であり、信号の状態は、Ｌ→Ｈになる。
【００４４】
さらに、本実施例では、電源断時、すなわち前記電源断検出手段１８５により前記電源回路１８２の電圧（例えば主電源のＡＣ２４Ｖ）が所定期間（例えば２５ｍｓ）に亘って検出されないと判断された時には、前記電源断検出手段１８５から前記電源断信号が出力された後、所定時間（例えば８０ｍｓ）後に、前記主制御基板（主制御装置）１００、サブ制御基板（副制御装置）１１０及び払出制御基板１４０へ、ＣＰＵ停止のためにリセット信号が出力され、前記前記主制御基板（主制御装置）１００、サブ制御基板（副制御装置）１１０及び払出制御基板１４０における電源断の処理が終了するように構成されている。このとき出力されるリセット信号は停止信号に相当し、信号の状態はＨ→Ｌになる。前記電源断信号が出力されてからリセット信号（停止信号）が出力されるまでの所定時間（遅延時間）は、前記電源断の処理が全て終了するまでの時間に設定されている。
【００４５】
このように、前記電源基板１８０は、電源投入時に前記電源回路１８２の電圧が所定電圧以上に上昇すると、予め定めた所定時間（遅延時間）後に電源断信号を出力した後にＣＰＵ開始のためのリセット信号（開始信号）を出力する。その際、電源断信号は前記主制御基板（主制御装置）１００と払出制御基板１４０にのみ出力されるのに対し、前記リセット信号（開始信号）は前記主制御基板（主制御装置）１００と払出制御基板１４０及びサブ制御基板（副制御装置）１１０に出力される。一方、電源断時、前記電源基板１８０は、前記電源回路１８２の電圧が所定期間に亘って検出されないと、電源断信号を前記主制御基板（主制御装置）１００及び前記払出制御基板１４０に出力すると共に、前記電源断信号の出力から所定時間（遅延時間）後にリセット信号（停止信号）を前記主制御基板（主制御装置）１００と払出制御基板１４０及びサブ制御基板（副制御装置）１１０に出力する。
【００４６】
前記ＲＡＭクリアスイッチ信号生成回路１８７は、電源投入時に前記ＲＡＭクリアスイッチ１８９が押下されることによって、ＲＡＭクリアスイッチ信号を前記主制御基板（主制御装置）１００及び前記払出制御基板１４０に出力する。前記ＲＡＭクリアスイッチ信号を受信した前記主制御基板（主制御装置）１００及び前記払出制御基板１４０ではＲＡＭの全領域に対して初期化が行われる。前記ＲＡＭクリアスイッチ１８９は、初期化操作手段に相当し、遊技の状態を初期化する目的で主制御基板１００及び払出制御基板１４０のＲＡＭをクリア（初期化）させるための操作手段である。前記ＲＡＭクリアスイッチ１８９の押下有効範囲は、初回の電源投入時のみの１回のみであり、復電時や通常の遊技処理においては無効であるため、遊技中にＲＡＭクリアスイッチ１８９が押下されることにより遊技に影響を与えることがない。
【００４７】
以下、電源投入時及び電源断時における前記主制御基板（主制御装置）１００及び前記サブ制御基板（副制御装置）１１０による処理について説明する。なお、本実施例では、前記主制御基板１００及びサブ制御基板１１０における電源投入時と電源断時の処理に本発明の主な構成が適用されているため、他の処理については省略する。
【００４８】
前記主制御基板（主制御装置）１００では、図５に示すように、電源投入によって、前記電源基板１８０から送信されたリセット信号（開始信号）を受信すると、まず起動遅延処理（Ｓ１１−１）が行われる。前記起動遅延処理（Ｓ１１−１）は、前記主制御基板（主制御装置）１００における電源投入後の処理の実行開始（すなわち起動タイミング）を、前記サブ制御基板（副制御装置）１１０の制御開始（起動タイミング）よりも遅らせるためのものであり、所定時間（例えば５秒）待機する処理である。前記サブ制御基板（副制御装置）１１０よりも先に前記主制御基板（主制御装置）が起動すると、まだ起動していないサブ制御基板（副制御装置）１１０に対して主制御基板（主制御装置）１００から指令信号（コマンド）が送られることによって、サブ制御基板（副制御装置）１００で対応できない不具合が発生することを防止している。前記起動遅延処理（Ｓ１１−１）は本発明の遅延手段に相当する。
【００４９】
次にデバイスの初期設定（Ｓ１１−２）が行われる。前記デバイスの初期設定（Ｓ１１−２）では、スタックの設定、割込み時間の設定、ＣＰＵの設定、ＳＩＯ、ＰＩＯ、ＣＴＣの設定等が行われる。なお、前記デバイスの初期設定（Ｓ１１−２）等については、電源投入時のみに必要な処理であり、最初の１巡目のみに実行され、その後は実行されないが、周知であるので詳細は省略する。また、前記主制御基板１００のＣＰＵは割込み時間（４ｍｓ）ごとに、メインルーチン（前記ＲＯＭに記憶されている各プログラム）を実行する。
【００５０】
次に前記ＲＡＭクリアスイッチ１８９がＯＮ（押下された）か判断され（Ｓ１１−３）、ＲＡＭクリアスイッチ１８９がＯＮであれば、初回の電源投入時と判断し、初回の電源投入時の設定（ＲＡＭのクリア及びＲＡＭの初期設定）が行われ（Ｓ１１−４）、初回電源投入コマンド（指令信号）がサブ制御基板（副制御装置）１１０に送信され、後述のＢ報知が行われる（Ｓ１１−５）。その後、割込み処理を待機し、通常の遊技制御処理が開始される（Ｓ１１−６）。前記Ｂ報知は、本実施例では、電源供給報知の一つであり、初回の電源投入時に主制御基板（主制御装置）１００及びサブ制御基板（副制御装置）に電源が供給されたことを前記表示装置（電源供給報知手段）９で報知する電源供給報知に設定されている。
【００５１】
一方、前記ＲＡＭクリアスイッチ１８９がＯＮではない、すなわち前記ＲＡＭクリアスイッチ１８９が押下されていない場合には、前記電源基板１８０から送信された電源断フラグがＯＮか判断され（Ｓ１１−７）、またＲＡＭバックアップが正常か判断される（Ｓ１１−８）。ＲＡＭバックアップが正常か否かの判断は、ＲＡＭ領域を全て加算した結果の１バイト値を全ビット反転した結果が、電原断時に記憶したバックアップ検証値と比較して同一であれば、バックアップにより保持しているＲＡＭの内容が正常と判断し、一致しなければ異常と判断する。前記電源断フラグがＯＮではない場合（すなわち電源断処理が正常に行われていない場合）、あるいはＲＡＭバックアップが正常ではない場合（すなわちＲＡＭの内容が正しくない場合）には、初回の電源投入時と判断されて初回の電源投入時の設定（ＲＡＭのクリア及びＲＡＭの初期設定）が行われ（Ｓ１１−４）、初回電源投入コマンド送信及びＢ報知（Ｓ１１−５）、通常の遊技制御処理が行われる（Ｓ１１−６）。それに対して前記電源断フラグがＯＮであって（電源断処理が正常に行われていて）、かつ前記ＲＡＭバックアップが正常の場合（ＲＡＭの記憶が正しい場合）には、復電時と判断されて復電による電源投入時の設定が行われる（Ｓ１１−９）。復電による電源投入時の設定は、例えば、前記サブ制御基板１１０に図柄の記憶数や状態のコマンド（指令信号）を送信し、各レジスタ及びスタックポインタを電源断となった時点に戻す処理などによって行われる。そして、復電用コマンドがサブ制御基板（副制御装置）１１０に送信され、後述のＣ報知が行われ（Ｓ１１−１０）、電源断直後の処理が開始される。なお、前記電源断フラグはＯＮか否か確認された後にＯＦＦにされる。前記Ｃ報知は、本実施例では、電源供給報知の一つであり、復電時に主制御基板（主制御装置）１００及びサブ制御基板（副制御装置）に電源が供給されたことを前記表示装置（電源供給報知手段）９で報知する電源供給報知に設定されている。
【００５２】
前記初回電源コマンド及び前記復電用コマンドは、本発明において、前記主制御基板（主制御装置）１００が前記電源回路１８２の電圧が所定電圧に達したことを起因に前記サブ制御基板（副制御基板）１１０に送信する電源供給信号に相当する。本実施例では、前記電源基板１８０から送信されたリセット信号（開始信号）が前記主制御基板（主制御装置）１００に入力されたことに基づいて前記主制御基板（主制御装置）１００が制御を開始し、前記初回電源コマンド及び前記復電用コマンド（電源供給信号）をサブ制御基板（副制御装置）１１０へ出力する。
【００５３】
復電時における前記表示装置９による表示状態としては、大きく分けるとＡ．表示待機中、Ｂ．特別図柄変動中、Ｃ．特別図柄確定中、Ｄ．大当たり中の場合の４種類のタイミングに分けられる。Ａ．表示待機中の復電は、電源断が表示待機中に発生し、その後に復電（電源復帰）する場合であり、その場合には、前記主制御基板１００からの復電用コマンドにより待機コマンドが送られて、待機中の表示（デモ表示）が通常表示に復帰する。Ｂ．特別図柄変動中の復電は、電源断が特別図柄の変動中に発生し、その後に復電する場合であり、その場合、前記主制御基板１００からの復電用コマンドにより復電表示、例えば「電源が復帰しました」の表示をし、その後に停止図柄をサブ制御基板１１０に送信して変動時間が経過したら停止コマンドにより停止図柄を表示させ、通常表示に復帰する。Ｃ．特別図柄確定中の復電は、電源断が特別図柄確定（図柄の変動停止）中に発生し、その後に復電する場合であり、その場合、前記主制御基板１００から送信される復電用コマンドに含まれる停止図柄や図柄停止コマンドにより、電源断時に記憶された停止図柄を表示し、通常表示に復帰する。Ｄ．大当たり中の復電は、電源断が大当たり中に発生し、その後に復電する場合であり、その場合、前記主制御基板１００からの復電用コマンドにより、ラウンドのコマンドやインターバル画面のコマンドが送信されるまで「電源が復帰しました」という復電表示をし、ラウンドのコマンドやインターバル画面のコマンド等の何らかの表示指示のコマンドが送信されることによって通常表示に復帰する。
【００５４】
一方、電源断時は前記電源基板１８０から送信された電源断信号を前記主制御基板（主制御装置）１００が受信すると電源断時の処理が行われる。電源断時の処理は、図７に示すように、前記主制御基板１００における各レジスタ及びスタックポインタが退避され（Ｓ２１−１）、次に出力ポートのクリア（役物動作の停止）が行われ（Ｓ２１−２）、前記ＲＡＭクリアスイッチ１８９が操作されなかった場合にＲＡＭ領域を全て加算した結果の１バイト値を全ビット反転し、その値がバックアップ検証値に保管され（Ｓ２１−３）、電源断処理が正常に終了したことを示す電源断処理フラグＯＮにセットされる（Ｓ２１−４）。その後にＲＡＭアクセスが禁止され（Ｓ２１−５）、電源が落ちるのを待つ状態（無限ループ）となる。
【００５５】
電源断時における前記表示装置９の表示状態として、大きく分けるとＡ．表示待機中、Ｂ．特別図柄変動中、Ｃ．特別図柄確定中、Ｄ．大当たり中の場合の４種類のタイミングに分けられる。Ａ．表示待機中の電源断の場合は、待機中であることを主制御基板１００のＲＡＭに記憶し、Ｂ．特別図柄変動中の電源断の場合は、特別図柄と残りの変動時間を主制御基板１００のＲＡＭに記憶し、Ｃ．特別図柄確定中の電源断の場合は、停止図柄を主制御基板１００のＲＡＭに記憶し、Ｄ．大当たり中の電源断の場合は、ラウンド数や大入賞口の開放時間や停止図柄のなどの状態を主制御基板１００のＲＡＭに記憶する。
【００５６】
前記サブ制御基板（副制御装置）１１０における電源投入時の処理について説明する。図７に示すサブ制御基板（副制御装置）１１０における電源投入時の処理（Ｓ３０Ａ）は、単独報知手段に相当し、前記サブ制御基板（副制御装置）１１０が電源供給信号（初回電源投入コマンド、復電用コマンド）を受信する前から電源供給を単独報知可能とし、電源供給信号（前記初回電源投入コマンド、前記復電用コマンド）の受信により単独報知を他の報知に変更する例である。
【００５７】
図７に示す電源投入時の処理（Ｓ３０Ａ）では、デバイスの初期設定（Ｓ３０Ａ−１）が行われる。前記デバイスの初期設定（Ｓ３０Ａ−１）では、スタックの設定、定数設定、ＣＰＵの設定、ＳＩＯ、ＰＩＯ、ＣＴＣの設定等が行われる。なお、前記デバイスの初期設定（Ｓ３０Ａ−１）については、電源投入時のみに必要な処理であり、最初の１巡目のみに実行され、その後は実行されないが、周知であるので詳細は省略する。また、前記サブ制御基板１１０のＣＰＵは電源投入時に初期設定等が行われるこのメインプログラムを実行し、メインプログラムの最終処理でループ処理を行っている間に外部ＩＮＴ（コマンド受信）割込みや、タイマ割込みとして２ｍｓと１０ｍｓ毎に割込み処理を実行する。
【００５８】
次にＲＡＭクリアが行われ、ＲＡＭの初期設定が行われる（Ｓ３０Ａ−２）。その後、予め設定されている電源供給報知としてＡ報知を開始し、それと同時に報知終了タイマがセットされる（Ｓ３０Ａ−３）。前記Ａ報知は、本発明において電源供給があったことを単独で報知する単独報知に相当する。前記Ａ報知の報知態様については後述する。なお、ここまでの処理は初回の電源投入時のみに行われる。
【００５９】
続いて前記主制御基板（主制御装置）１００から電源供給信号、すなわち初回電源投入コマンドあるいは復電用コマンドを受信しているか判断され（Ｓ３０Ａ−４）、受信したコマンドが初回電源投入コマンドの場合には前記Ａ報知からＢ報知に変更して報知が行われ、また、受信したコマンドが復電用コマンドの場合には前記Ａ報知からＣ報知に変更して報知が行われる（Ｓ３０Ａ−５）。一方、前記初回電源投入コマンド及び復電用コマンドの何れも受信していない場合には、前記Ａ報知がそのまま行われる。
【００６０】
その後、報知終了タイマの残量が０か判断され（Ｓ３０Ａ−６）、残量が０、すなわち報知時間が終了した場合には報知停止が行われ（Ｓ３０Ａ−７）、一方、報知終了タイマの残量が０ではない、すなわち報知時間が残っている場合には報知停止処理（Ｓ３０Ａ−７）をジャンプする。次にその他の遊技処理が行われる（Ｓ３０Ａ−８）。なお、前記その他の遊技処理（Ｓ３０Ａ−８）は、本発明とは直接関係ないため、詳細な説明を省略する。その後、前記初回電源投入コマンドあるいは前記復電用コマンドの受信判断（Ｓ３０Ａ−４）へ戻りそれ以降の前記処理が繰り返される。なお、図７の電源投入時の処理における報知条件の成立は、前記サブ制御基板（副制御装置）１１０に前記リセット信号（開始信号）が入力したこと、すなわち前記リセット信号（開始信号）の入力による制御開始が条件となっている。
【００６１】
図８に示すサブ制御基板（副制御装置）１１０における電源投入時の処理（Ｓ３０Ｂ）は、単独報知手段に相当し、前記サブ制御基板（副制御装置）１１０が電源供給信号（前記初回電源投入コマンド、前記復電用コマンド）を受信する前から電源供給を単独報知できるようにすると共に、サブ制御基板１１０のＲＡＭに記憶が残っているか（記憶値が正しいか）を判断し、その結果に応じて単独報知の態様を異ならせる例である。
【００６２】
図８に示す電源投入時の処理（Ｓ３０Ｂ）では、デバイスの初期設定（Ｓ３０Ｂ−１）が行われる。前記デバイスの初期設定（Ｓ３０Ｂ−１）では、スタックの設定、定数設定、ＣＰＵの設定、ＳＩＯ、ＰＩＯ、ＣＴＣの設定等が行われる。なお、前記デバイスの初期設定（Ｓ３０Ｂ−１）については、電源投入時のみに必要な処理であり、最初の１巡目のみに実行され、その後は実行されないが、周知であるので詳細は省略する。また、前記サブ制御基板１１０のＣＰＵは電源投入時に初期設定等が行われるこのメインプログラムを実行し、メインプログラムの最終処理においてループ処理を行っている間に外部ＩＮＴ（コマンド受信）割込みや、タイマ割込みとして２ｍｓと１０ｍｓ毎に割込み処理を実行する。
【００６３】
次に前記サブ制御基板（副制御装置）１１０のＲＡＭにおける第１ＲＡＭ値（先頭アドレス）の記憶値、第２ＲＡＭ値（中間アドレス）の記憶値、第３ＲＡＭ値（末尾アドレス）の記憶値が初期設定で設定された値と一致するか順に判断され（Ｓ３０Ｂ−２〜４）、すべてが設定値と一致する場合にはＲＡＭの記憶がそのまま使用できるとしてＲＡＭの記憶値を残して起動（ホットスタート）され（Ｓ３０Ｂ−５）、電源供給報知としてＤ報知を開始し、それと同時に報知終了タイマがセットされる（Ｓ３０Ｂ−６）。前記Ｄ報知は、本発明における単独報知の１つであり、報知態様については後述する。それに対して、前記第１ＲＡＭ値、第２ＲＡＭ値、第３ＲＡＭ値の何れか一つでも設定値と一致しない場合には前記ＲＡＭ内の記憶を初期化して起動（コールドスタート）され（Ｓ３０Ｂ−７）、前記第１ＲＡＭ、第２ＲＡＭ、第３ＲＡＭに予め設定された値がセットされ（Ｓ３０Ｂ−８）、電源供給報知としてＡ報知（単独報知の１つ）を開始し、それと同時に報知終了タイマがセットされる（Ｓ３０Ｂ−９）。前記初期化されたＲＡＭにセットされる初期値としては、例えば第１ＲＡＭ値には５５ｈ、第２ＲＡＭ値にはＡＡｈ、第３ＲＡＭ値には３３ｈを挙げる。なお、前記第１ＲＡＭ値、第２ＲＡＭ値、第３ＲＡＭ値は、ＲＡＭにおいて通常使用しない領域であればよく、必ずしも先頭アドレス、中間アドレス、末尾アドレスである必要はなく、また記憶の場所も３箇所に限られる必要はない。また、ここまでの処理は初回の電源投入時のみに行われる。
【００６４】
続いて前記主制御基板（主制御装置）１００から電源供給信号としての初回電源投入コマンドあるいは復電用コマンドを受信しているか判断され（Ｓ３０Ｂ−１０）、受信したコマンドが前記初回電源投入コマンドの場合には前記Ｄ報知またはＡ報知からＢ報知に変更して報知が行われ、また、受信したコマンドが前記復電用コマンドの場合には前記Ｄ報知またはＡ報知からＣ報知に変更して報知が行われる（Ｓ３０Ｂ−１１）。一方、前記初回電源投入コマンド及び復電用コマンドの何れも受信していない場合には、前記Ｓ３０Ｂ−６で設定されたＤ報知またはＳ３０Ｂ−９で設定されたＡ報知がそのまま行われる。
【００６５】
その後、報知終了タイマの残量が０か判断され（Ｓ３０Ｂ−１２）、残量が０、すなわち報知時間が終了した場合には報知停止が行われ（Ｓ３０Ｂ−１３）、一方、報知終了タイマの残量が０ではない、すなわち報知時間が残っている場合には前記報知停止処理（Ｓ３０Ｂ−１３）がジャンプされる。次にその他の遊技処理が行われる（Ｓ３０Ｂ−１４）。なお、その他の遊技処理（Ｓ３０Ｂ−１４）は、本発明とは直接関係ないため、詳細な説明を省略する。その後、前記初回電源投入コマンドあるいは前記復電用コマンドの受信判断（Ｓ３０Ｂ−１０）へ戻りそれ以降の前記処理が繰り返される。その際に、報知終了タイマの残量が０になったら電源投入報知に関わる処理を跳ばす処理にするとよい（Ｓ３０ＡとＳ３０Ｂ共に）。なお、図８の電源投入時の処理における報知条件の成立は、前記サブ制御基板（副制御装置）１１０に前記リセット信号（開始信号）が入力したこと、すなわち前記リセット信号（開始信号）の入力による制御開始となっている。
【００６６】
図９に示すサブ制御基板（副制御装置）１１０における電源投入時の処理（Ｓ３０Ｃ）は、単独報知手段に相当し、前記サブ制御基板（副制御装置）１１０が所定時間経過しても電源供給信号としての初回電源投入コマンドあるいは復電用コマンドを受信しなかった場合（報知条件が成立した場合）に、電源供給報知を、バッファを使用して単独報知できるようにする例である。
【００６７】
図９に示す電源投入時の処理（Ｓ３０Ｃ）では、デバイスの初期設定が行われると共にＲＡＭがクリアされて初期設定される（Ｓ３０Ｃ−１）。前記デバイスの初期設定では、スタックの設定、定数設定、ＣＰＵの設定、ＳＩＯ、ＰＩＯ、ＣＴＣの設定等が行われる。なお、電源投入時のみに必要な処理については最初の１巡目のみに実行され、その後は実行されないが、周知であるので詳細は省略する。また、前記サブ制御基板１１０のＣＰＵは電源投入時に初期設定等が行われるこのメインプログラムを実行し、メインプログラムの最終処理においてループ処理を行っている間に外部ＩＮＴ（コマンド受信）割込みや、タイマ割込みとして２ｍｓと１０ｍｓ毎に割込み処理を実行する。前記デバイスの初期設定及びＲＡＭの初期設定（Ｓ３０Ｃ−１）に次いで、電源供給報知用の報知コマンド受信バッファに、予め設定された単独報知用のＡ報知がセットされ、電源投入からの所定時間（報知開始時間）を計時する報知開始タイマがセットされる（Ｓ３０Ｃ−２）。前記報知開始タイマにセットされる時間（所定時間）は、前記主制御基板（主制御装置）１００の電源投入時の処理における遅延手段としての起動遅延処理（Ｓ１１−１）が終了するまでの時間よりも長く設定されている。ここまでの処理は、初回の電源投入時のみに行われる。
【００６８】
次に報知停止フラグがＯＮか、すなわち報知停止か否か判断され（Ｓ３０Ｃ−３）、報知停止フラグがＯＮではない（報知していない）と判断されると、報知開始タイマの残量が０か判断され（Ｓ３０Ｃ−４）、残量が０の場合、すなわち電源投入から所定時間経過している場合には、報知コマンド受信バッファにデータが有るか判断される（Ｓ３０Ｃ−５）。前記報知コマンド受信バッファにデータが有る場合には、報知コマンド受信バッファのデータ内容により報知が開始される（Ｓ３０Ｃ−６）。
【００６９】
なお、前記Ｓ３０Ｃ−２において報知コマンド受信バッファにセットされた単独報知用のＡ報知データは、割込み時間毎のコマンド受信割込み（Ｓ３１Ｃ）で行われる受信コマンドの判断（Ｓ３１Ｃ−１）によって、受信コマンドが報知コマンドであると判断された場合には、受信した報知コマンドが前記初回電源投入コマンドの場合には前記Ａ報知のデータに代わって前記Ｂ報知のデータが前記報知コマンド受信バッファにセットされ、一方、受信した報知コマンドが前記復電用コマンドの場合には、前記Ａ報知のデータに代わって前記Ｃ報知のデータが前記報知コマンド受信バッファにセットされる（Ｓ３１Ｃ−２）。また、前記コマンド受信割込み（Ｓ３１Ｃ）において、受信コマンドが報知コマンドでないと判断された場合には、その他のコマンド処理（Ｓ３１Ｃ−３）が行われる。
【００７０】
前記電源投入時の処理（Ｓ３０Ｃ）において、前記報知コマンド受信バッファの内容に応じて報知（すなわち、報知コマンド受信バッファの内容がＡ報知データの場合にはＡ報知、Ｂ報知データの場合にはＢ報知、Ｃ報知データの場合にはＣ報知）が開始された（Ｓ３０Ｃ−６）後、報知コマンド受信バッファがクリアされると共に報知終了タイマがセットされる（Ｓ３０Ｃ−７）。その後、前記報知終了タイマの残量が０か判断され（Ｓ３０Ｃ−８）、前記報知終了タイマの残量が０の場合には報知停止（Ｓ３０Ｃ−９）と報知停止フラグＯＮにセット（Ｓ３０Ｃ−１０）の処理が行われた後、その他の遊技処理（Ｓ３０Ｃ−１１）が行われ、その後は前記報知停止フラグＯＮの判断処理（Ｓ３０Ｃ−３）以降の処理が繰り返される。なお、前記Ｓ３０Ｃ−３で報知停止フラグがＯＮと判断された場合、前記Ｓ３０Ｃ−４で報知開始タイマの残量が０ではないと判断された場合、前記Ｓ３０Ｃ−５で報知コマンド受信バッファにデータが無いと判断された場合、前記Ｓ３０Ｃ−８で報知終了タイマ残量が０ではないと判断された場合の何れの場合においても、直ちに前記その他の遊技処理（Ｓ３０Ｃ−１１）へジャンプする。なお、図９の電源投入時の処理における報知条件の成立は、前記サブ制御基板（副制御装置）１１０が前記リセット信号（開始信号）の入力から所定時間（報知開始タイマの時間）経過する間に電源供給信号（初回電源投入コマンド、復電用コマンド）を受信しなかったことになっている。
【００７１】
本実施例では前記表示装置９が電源供給報知手段とされており、前記Ａ報知、Ｂ報知、Ｃ報知及びＤ報知は、前記表示装置９で行われている。また報知態様の例として、前記Ａ報知の場合は前記表示装置９の表示領域内の背景色を赤色にして「初期化処理実行中、しばらくお待ちください」等の文字を表示し、前記Ｂ報知の場合は前記表示装置９の表示領域内の背景色を青色にして「初期化処理実行中、しばらくお待ちください」等の文字を表示し、前記Ｃ報知の場合は前記表示装置９の表示領域内の背景色を黄色にして「初期化処理実行中、しばらくお待ちください」等の文字を表示し、前記Ｄ報知の場合は前記表示装置９の表示領域内の背景色を緑色にして「初期化処理実行中、しばらくお待ちください」等の文字を表示する例を挙げる。
【００７２】
本実施例によれば、前記サブ制御基板（副制御装置）は、前記電源回路から電源供給後に電源供給信号の受信が無く、かつ報知条件が成立した場合には、電源供給信号受信の場合に行う報知とは異なる報知態様で単独報知を電源供給報知手段で行うため、主制御基板（主制御装置）とサブ制御基板（副制御装置）の関係が正常な状態あるいは異常な状態での電源供給か否かを把握することが可能となる。さらに、主制御基板（主制御装置）に異常が発生してサブ制御基板（副制御装置）に電源供給信号が入力されなくても電源供給報知を行うことができるため、電源投入の処理を利用した不正を抑制することが可能となる。例えば、初期化によって当たりを狙う場合に初期化報知をさせないようにするために不正に外部から前記サブ制御基板（副制御装置）に報知停止信号を送っても、前記サブ制御基板（副制御装置）は単独で報知ができるので、所定時間経過しない限り報知され、初期化報知をさせない行為を制限することが可能になる。また、単独報知手段としてＳ３０Ａ、Ｓ３０Ｂは、電源投入がされれば何らかの電源投入報知が行われるのですばやく電源投入の確認ができる。そして、単独報知手段としてＳ３０Ｃは、所定時間待機しているので正常であれば報知態様がＡ報知からＢ報知に切り替わることが減るので遊技機の状態把握の明確性が高くなる。
【００７３】
なお、本発明は前記実施例に限定されるものではなく、本発明の趣旨を逸脱しない範囲で変更することが可能である。例えば、前記電源供給報知手段は表示装置９等の表示手段に限定されるものではなく、前記左ランプ３３ａや右ランプ３３ｂなどのランプやＬＥＤ等の発光手段や、前記スピーカ３２等の音声発生手段等、他の電気装置でおこなってもよい。その場合、前記左ランプ３３ａや右ランプ３３ｂなど、予め定めておいた所定のランプやＬＥＤに関して、前記Ａ〜Ｄ報知に応じて点灯や点滅時間（点灯パターン）等を変更したり、前記スピーカ３２等の音声発生手段により、Ａ〜Ｄ報知に応じて効果音や音の発生時間を変えたりしてもよい。また、例えば単独報知手段としてＳ３０Ａ、Ｓ３０Ｂ、Ｓ３０Ｃの例を挙げたが、この例の中の部分的な組み合わせによって処理を構成してもよいとする。
【００７４】
さらに、前記主制御装置は前記主制御基板単独のものに限られず、主制御基板と払出制御基板が一体となったものでもよい。また、前記副制御装置はサブ制御基板に限定されず、表示制御基板や音声制御基板等、他の周辺制御基板等として、前記他の周辺基板が電源供給報知手段に単独報知を行わせるようにしてもよい。また、本実施例のサブ制御基板はランプ制御基板を兼ねているが、サブ制御基板とランプ制御基板を別個に設けてランプ制御基板を副制御装置としてランプ制御基板が電源供給報知手段に単独報知を行わせるようにしてもよい。さらにまた、サブ制御基板と表示制御基板等、複数の制御基板が電源供給報知手段に単独報知を行わせるようにしてもよい。また、本発明はパチンコ遊技機に限られるものではなく、他の遊技機にも適用可能である。
【符号の説明】
【００７５】
１  遊技機
３  遊技盤
９  表示装置
１０  始動入賞口
１５  大入賞口
５３  発射装置
１００  主制御基板
１１０  サブ制御基板
１２０  表示制御基板
１４０  払出制御基板
１５０  音声制御基板
１８０  電源基板
１８２  電源回路
【図１】
2011125735.tif 000003
【図２】
2011125735.tif 000004
【図３】
2011125735.tif 000005
【図４】
2011125735.tif 000006
【図５】
2011125735.tif 000007
【図６】
2011125735.tif 000008
【図７】
2011125735.tif 000009
【図８】
2011125735.tif 000010
【図９】
2011125735.tif 000011